(57)【要約】      （修正有）【課題】矢状面における骨盤傾斜を簡易的に計測することができる骨盤傾斜測定用具を提供する。【解決手段】略直角二等辺三角形の平板１と、平板１の表面の各角部近傍に垂直かつ同高に設置された３個の突起柱１３〜１５と、平板１の裏面に着脱可能に配置する傾斜勾配計２とを有し、３個の突起柱１３〜１５は、平板１の前記表面を人体前面の骨盤位置に矢状面と垂直に載置したとき、頂角１１の突起柱１３は前記人体前面の恥骨結合近傍に、底角１２の突起柱１４・１５はそれぞれ前記人体前面の左上前腸骨棘及び右上前腸骨棘近傍に当接する位置に設置されている。【選択図】図１
0003216557.tif 000002
【実用新案登録請求の範囲】
【請求項１】
人体の矢状面における骨盤の傾斜を計測する用具であって、
略直角二等辺三角形の平板と、
前記平板の表面の各角部近傍に垂直かつ同高に設置された３の突起柱と、
前記平板の裏面に着脱可能に配置する傾斜勾配計と、
を有することを特徴とする骨盤傾斜測定用具。
【請求項２】
前記骨盤傾斜測定用具の前記平板の前記表面を人体前面の骨盤位置に矢状面と直角に載置したとき、前記３の突起柱のうち、頂角近傍の前記突起柱は前記人体前面の恥骨結合近傍に、底角近傍の２の前記突起柱はそれぞれ前記人体前面の左上前腸骨棘及び右上前腸骨棘近傍に当接する位置に設置されていることを特徴とする請求項１記載の骨盤傾斜測定用具。
【考案の詳細な説明】
【技術分野】
【０００１】
本考案は、人体の矢状面における骨盤の傾斜を測定する際に使用する用具に関する。
【背景技術】
【０００２】
骨盤の前後傾斜は脊柱や脚部に影響を与え、腰痛等多くの障害の原因となっていることが知られている。このため、骨盤の傾斜測定は障害の原因を知り治療法を策定するうえで重要である。また、スポーツトレーニングの分野においても、選手個人の骨盤傾斜の状態を正しく知り、それに応じたトレーニング方法を確立することが求められている。そのためには、年代、性別、体型などによる骨盤傾斜の違いや、同一人物における肢位や筋肉の働き方による骨盤傾斜の変化を比較・検証する研究が必要となっている。
【０００３】
骨盤の矢状面における前後の傾斜を計測する方法は複数存在する。
例えば、非特許文献１には、Ｘ線写真上における上後腸骨棘・恥骨結合を結ぶ線と水平面が成す角度を骨盤傾斜度、第一仙椎上面と上前腸骨棘を結ぶ線の延長と水平面が成す角度を腰仙角とし、これらを医療や研究における骨盤の傾斜を計測する基準とするべきことが記されている。
非特許文献２には、骨盤傾斜の可動域を、立位で上後腸骨棘と上前腸骨棘間の距離をキャリパーで計測し（C）、上後腸骨棘と上前腸骨棘それぞれから床への垂直線の距離（A、B）の値を、sinΦ＝（A-B）／C の計算式にて求める方法が記されている。
【０００４】
他に上前腸骨棘と上後腸骨棘を結ぶ線の延長と水平面が成す角度も計測され活用されてきた。
非特許文献３では、仙骨岬角と恥骨結合上縁を結ぶ縁とＸ線のフイルム面とのなす角を計測し、これを骨盤傾斜角とした。
また、非特許文献４では、骨盤傾斜角（pelvic inclination angle）は、仙骨岬角と恥骨結合上縁を結ぶ線と水平面とのなす角度であるとしている。
さらに、非特許文献５には、「骨盤は骨盤上口のある面と水平面との間に約 60°の角度をなしている。この骨盤の傾きは骨盤傾斜（pelvic inclination）と呼ばれる。」とも記されている。
【先行技術文献】
【非特許文献】
【０００５】
【非特許文献１】Russe1976  臨床運動学（2004）P.459〜460
【非特許文献２】Sanders et al.1981  臨床運動学（2004）P.74〜75
【非特許文献３】Ｘ線学的骨盤腔形態と骨盤傾斜角（1992）
【非特許文献４】プロメテウス解剖学アトラス 解剖学総論/運動器系（2007）P.79
【非特許文献５】解剖学アトラス 原著第 10 版（2012）P.93
【考案の概要】
【考案が解決しようとする課題】
【０００６】
上述したように、骨盤傾斜の計測については様々な計測法と基準が存在しているが、既存の計測法はいずれも高価な設備や大掛かりな計測又は計算を必要としており、生体の簡易的な計測は、ほぼ不可能である。その為、肢位を変化させながら骨盤傾斜の変化を検証することも、やはり難しい。
【０００７】
仮に、骨盤の矢状面における傾斜を簡易的に測定することができれば、年代、性別、体型などによる骨盤傾斜の違いや、同一人物における肢位や筋肉の働き方による骨盤傾斜の変化を比較・検証することが可能になる。
【０００８】
上述の問題に鑑み、本考案では、矢状面における骨盤傾斜を簡易的に計測することができる骨盤傾斜測定用具を提供することを課題とする。
【課題を解決するための手段】
【０００９】
両上前腸骨棘と恥骨結合を結ぶ面はほぼ垂直冠状面に存在する事が解剖書に明記されている。この事実と前述の非特許文献の記述を併せて考慮するに、立位又は背臥位において、左右上前腸骨棘と恥骨結合の３点を直線で結ぶことにより形成される三角平面の、垂直面又は水平面に対する傾斜角を簡易計測することができる測定用具があれば、一定程度有効な骨盤傾斜の値が得られることになる。
【００１０】
上述の課題を解決するために、本考案に係る骨盤傾斜測定用具は、略直角二等辺三角形の平板と、前記平板の表面の各角部近傍に垂直かつ同高に設置された３の突起柱と、前記平板の裏面に着脱可能に配置する傾斜勾配計とを有し、前記３の突起柱は、前記平板の前記表面を人体前面の骨盤位置に矢状面と垂直に載置したとき、頂角の前記突起柱は前記人体前面の恥骨結合近傍に、底角の前記突起柱はそれぞれ前記人体前面の左上前腸骨棘及び右上前腸骨棘近傍に当接する位置に設置されていることを特徴とする。
【００１１】
上記測定用具の使用法は、立位又は背臥位で、左右の上前腸骨棘と恥骨結合の３点近傍に上記３の突起柱を各々当接させる態様で前記平板を載置し、傾斜勾配計を前記平板の略中央に固定して、垂直面又は水平面からの角度を計測する。
【考案の効果】
【００１２】
本考案に係る計測用具を使用して、体表に露出しやすい左右両上前腸骨棘と恥骨結合を結ぶ三角の面と垂直面又は水平面からなる角度を計測することにより、いつでもどこでも誰にでも安価な設備で骨盤傾斜を計測することが可能となる。その結果、前傾又は後傾を判断する基準が設定しやすくなり、年代、性別、体型などによる骨盤傾斜の違いや、同一人物における肢位や筋肉の働き方による骨盤傾斜の変化を比較・検証することが可能になる。
【図面の簡単な説明】
【００１３】
【図１】本測定用具の構成を示す斜視図である。
【図２】骨盤及び測定位置の目安となる部位を示す人体骨格図である。
【図３】本測定用具の使用方法を示す絵図である。
【図４】本測定用具の使用状態を示す写真である。
【考案を実施するための形態】
【００１４】
以下、本実施形態の骨盤傾斜測定用具（以下、「本測定用具」という。）の構成及び使用法について図を用いて説明する。
【００１５】
最初に、構成について説明する。
本測定用具は、図１に示すように、厚さ５〜１０ｍｍ、斜辺３００ｍｍ程度の略直角二等辺三角形の平板１と傾斜勾配計２より成る。また、平板１表面の頂角１１及び底角１２・１３の近傍には、それぞれ、垂直かつ同高（高さ３０ｍｍ程度）に設置されたゴム製の突起柱１３〜１５が配設されている。平板１を下腹部に当接した際の皮下脂肪又は腹直筋等軟部組織の膨らみによる干渉を回避するためである。
【００１６】
次に、使用法について説明する。
図２に示すように、左上前腸骨棘４・右上前腸骨５・恥骨結合６の３点を結んで形成される三角平面は、ほぼ垂直冠状面に存在する。したがって、該三角平面の垂直面又は水平面に対する傾斜角が、骨盤３の傾斜角となる。本測定用具は、該傾斜角を測定する。
【００１７】
図３は、本測定用具を当接させる人体の位置を示す。具体的には、まず、平板１表面の底角１２に設置された２つの突起柱１３、１４を、それぞれ左右上前腸骨棘４・５近傍に、また、頂角１１に設置された突起柱１５を恥骨結合６近傍に当接させる。次に、傾斜勾配計２を平板１の裏面のほぼ中央に着接させ、立位においては垂直面、背臥位においては水平面に対する平板１の傾斜角を計測する。図４は、本測定用具の試作品を使用して計測を実行しているところの写真である。
【００１８】
本測定用具の使用により、時と場所を選ばず、安価な設備で骨盤傾斜を計測することが可能となり、年代、性別、体型などによる骨盤傾斜の違いや、同一人物における肢位や筋肉の働き方による骨盤傾斜の変化を比較・検証することが可能になる。
【００１９】
１    平板
１１  頂角
１２  底角
１３  突起柱
２    傾斜勾配計
３    骨盤
４    左上前腸骨棘
５    右上前腸骨棘
６    恥骨結合
【図１】
0003216557.tif 000003
【図２】
0003216557.tif 000004
【図３】
0003216557.tif 000005
【図４】
0003216557.tif 000006